(57)【要約】  本発明は、加入者局（ＵＥ）からネットワーク側の無線局（ＮＯＤＥ  Ｂ）に第１のメッセージが第１の符号（Ｃ＿ＨＳ−ＤＰＣＣＨ）を使用して伝送され、第２のメッセージが第２の符号（Ｃ＿ＤＥＤＩＣＡＴＥＤ）を使用して伝送される。加入者局（ＵＥ）による第１の符号（Ｃ＿ＨＳ−ＤＰＣＣＨ）の使用は一時的に中断され、第２の符号（Ｃ＿ＤＥＤＩＣＡＴＥＤ）の使用はこの中断の間も継続される。本発明によれば、加入者局（ＵＥ）による第１の符号（Ｃ＿ＨＳ−ＤＰＣＣＨ）の使用は、この加入者局（ＵＥ）による第１の符号（Ｃ＿ＨＳ−ＤＰＣＣＨ）の使用のために使用可能な送信出力に依存して再開される。さらに本発明は、本方法を実施するための加入者局（ＵＥ）およびネットワーク側装置（ＮＯＤＥ  Ｂ）に関する。
2007535254.tif 000002
【特許請求の範囲】
【請求項１】
無線通信のための方法であって、
加入者局（ＵＥ）からネットワーク側の無線局（ＮＯＤＥ  Ｂ）に第１の符号（Ｃ＿ＨＳ−ＤＰＣＣＨ）を使用して第１のメッセージを伝送し、第２の符号（Ｃ＿ＤＥＤＩＣＡＴＥＤ）を使用して第２のメッセージを伝送し、
前記第１の符号（Ｃ＿ＨＳ−ＤＰＣＣＨ）の使用を前記加入者局（ＵＥ）によって一時的に中断し、前記第２の符号（Ｃ＿ＤＥＤＩＣＡＴＥＤ）の使用を前記中断の間に継続する、無線通信のための方法において、
前記加入者局（ＵＥ）による前記第１の符号（Ｃ＿ＨＳ−ＤＰＣＣＨ）の使用のために使用可能である送信出力に依存して、前記加入者局（ＵＥ）による前記第１の符号（Ｃ＿ＨＳ−ＤＰＣＣＨ）の使用を再開することを特徴とする、無線通信のための方法。
【請求項２】
前記加入者局（ＵＥ）による前記第１の符号（Ｃ＿ＨＳ−ＤＰＣＣＨ）の使用のために使用可能である前記送信出力は、前記加入者局（ＵＥ）によって使用可能な最大送信出力と、前記加入者局（ＵＥ）による前記第２の符号（Ｃ＿ＤＥＤＩＣＡＴＥＤ）の使用のために使用可能な送信出力とに依存する、請求項１記載の方法。
【請求項３】
前記加入者局（ＵＥ）による前記第１の符号（Ｃ＿ＨＳ−ＤＰＣＣＨ）の使用のために使用可能である前記送信出力を、前記加入者局（ＵＥ）によって前記第１の符号（Ｃ＿ＨＳ−ＤＰＣＣＨ）の使用の中断の間に求める、請求項１または２記載の方法。
【請求項４】
前記加入者局（ＵＥ）による前記第１の符号（Ｃ＿ＨＳ−ＤＰＣＣＨ）の使用のために使用可能である前記送信出力を求める際に、
−前記加入者局（ＵＥ）によって使用可能な最大送信出力、
−前記加入者局（ＵＥ）による前記第１の符号（Ｃ＿ＨＳ−ＤＰＣＣＨ）の使用の中断の間に、前記第２の符号（Ｃ＿ＤＥＤＩＣＡＴＥＤ）の使用のために目下使用されている送信出力、
−前記第２の符号（Ｃ＿ＤＥＤＩＣＡＴＥＤ）の使用のために前記加入者局（ＵＥ）によって使用可能な送信出力とは異なる送信出力、
を考慮する、請求項３記載の方法。
【請求項５】
前記加入者局（ＵＥ）による前記第１の符号（Ｃ＿ＨＳ−ＤＰＣＣＨ）の使用のために使用可能である前記送信出力を、ネットワーク側の装置（ＮＯＤＥ  Ｂ）によって前記第１の符号（Ｃ＿ＨＳ−ＤＰＣＣＨ）の使用の中断の間に求める、請求項１または２記載の方法。
【請求項６】
前記加入者局（ＵＥ）による前記第１の符号（Ｃ＿ＨＳ−ＤＰＣＣＨ）の使用のために使用可能である前記送信出力を求める際に、
−前記第２の符号（Ｃ＿ＤＥＤＩＣＡＴＥＤ）を使用するメッセージ伝送のために前記加入者局（ＵＥ）によって目下使用されているデータレートに関する情報、
−前記第１の符号（Ｃ＿ＨＳ−ＤＰＣＣＨ）の使用の中断直前に、前記第２の符号（Ｃ＿ＤＥＤＩＣＡＴＥＤ）を使用するメッセージ伝送のために前記加入者局（ＵＥ）によって使用されたデータレートに関する情報、
を考慮する、請求項５記載の方法。
【請求項７】
前記加入者局（ＵＥ）による前記第１の符号（Ｃ＿ＨＳ−ＤＰＣＣＨ）の使用のために使用可能である前記送信出力を求める際に、
−前記第１の符号（Ｃ＿ＨＳ−ＤＰＣＣＨ）の使用の中断の間に前記ネットワーク側の無線局（ＮＯＤＥ  Ｂ）から前記加入者局（ＵＥ）に送信される送信出力制御信号に関する情報、
を考慮する、請求項５または６記載の方法。
【請求項８】
前記第１のメッセージはＨＳ−ＤＰＣＣＨチャネルのメッセージであり、前記第２のメッセージはＵＭＴＳ無線通信システムのＤＰＤＣＨチャネルまたはＤＰＣＣＨチャネルのメッセージである、請求項１から７までのいずれか１項記載の方法。
【請求項９】
無線通信システムのための加入者局（ＵＥ）であって、
第１の符号（Ｃ＿ＨＳ−ＤＰＣＣＨ）を使用して第１のメッセージをネットワーク側の無線局（ＮＯＤＥ  Ｂ）に送信し、第２の符号（Ｃ＿ＤＥＤＩＣＡＴＥＤ）を使用して第２のメッセージをネットワーク側の無線局（ＮＯＤＥ  Ｂ）に送信する手段（ＴＲＡＮＳＭＩＴ  Ｃ＿ＨＳ−ＤＰＣＣＨ，ＴＲＡＮＳＭＩＴ  Ｃ＿ＤＥＤＩＣＡＴＥＤ）を有し、
前記第１の符号（Ｃ＿ＨＳ−ＤＰＣＣＨ）の使用を中断し、前記第１の符号（Ｃ＿ＨＳ−ＤＰＣＣＨ）の使用の中断の間に前記第２の符号（Ｃ＿ＤＥＤＩＣＡＴＥＤ）の使用を継続する手段（ＳＴＯＰ  Ｃ＿ＨＳ−ＤＰＣＣＨ）を有する、加入者局（ＵＥ）において、
前記第１の符号（Ｃ＿ＨＳ−ＤＰＣＣＨ）の使用のために使用可能である送信出力に依存して前記第１の符号（Ｃ＿ＨＳ−ＤＰＣＣＨ）の使用を再開する手段（ＳＴＡＲＴ  Ｃ＿ＨＳ−ＤＰＣＣＨ）をさらに有することを特徴とする、加入者局（ＵＥ）。
【請求項１０】
前記第１の符号（Ｃ＿ＨＳ−ＤＰＣＣＨ）を使用するために使用可能である前記送信出力を求める手段（ＵＥ：ＴＲＡＮＳＭＩＴ  ＰＯＷＥＲ  Ｃ＿ＨＳ−ＤＰＣＣＨ）を有する、請求項９記載の加入者局（ＵＥ）。
【請求項１１】
無線通信システムのためのネットワーク側の装置（ＮＯＤＥ  Ｂ）であって、
加入者局（ＵＥ）から第１の符号（Ｃ＿ＨＳ−ＤＰＣＣＨ）を使用して送信された第１のメッセージを受信し、加入者局（ＵＥ）から第２の符号（Ｃ＿ＤＥＤＩＣＡＴＥＤ）を使用して送信された第２のメッセージを受信する手段（ＲＥＣＥＩＶＥ  Ｃ＿ＨＳ−ＤＰＣＣＨ，ＲＥＣＥＩＶＥ  Ｃ＿ＤＥＤＩＣＡＴＥＤ）を有する、ネットワーク側の装置（ＮＯＤＥ  Ｂ）において、
前記加入者局（ＵＥ）による前記第１の符号（Ｃ＿ＨＳ−ＤＰＣＣＨ）の使用のために使用可能である送信出力を求める手段（ＮＯＤＥ  Ｂ：ＴＲＡＮＳＭＩＴ  ＰＯＷＥＲ  Ｃ＿ＨＳ−ＤＰＣＣＨ）をさらに有することを特徴とする、ネットワーク側の装置（ＮＯＤＥ  Ｂ）。
【発明の詳細な説明】
【技術分野】
【０００１】
本発明は、加入者局によってメッセージの送信のために２つの異なる符号が使用され、２つの符号の内の第１の符号の使用が一時的に中断され、２つの符号の内の第２の符号の使用がこの中断の間も継続される、無線通信のための方法に関する。さらに本発明は、本方法を実施するための加入者局およびネットワーク側装置に関する。
【０００２】
無線通信システムにおいては、例えば音声情報、画像情報、ビデオ情報、ＳＭＳ（ショートメッセージサービス）、ＭＭＳ（マルチメディアメッセージサービス）または他のデータを有するメッセージが電磁波を用いることにより無線インタフェースを介して送信局と無線受信局との間で伝送される。ここで局は無線通信システムの具体的な構成に応じて、種々の加入者局およびネットワーク側の無線局、例えば基地局でよい。移動無線通信システムにおいては加入者局の少なくとも一部が移動無線局である。電磁波の放射は、それぞれのシステムに対して設けられている周波数帯域内にあるキャリア周波数を用いて行われる。
【０００３】
移動無線通信システムは、例えばＧＳＭ（Global System for Mobile Communication）規格またはＵＭＴＳ（Universal Mobile Telecommunications System）規格に準拠するセルラシステムとして、複数の基地局、それらの基地局を監視および制御する機構ならびに他のネットワーク側装置から成るネットワークインフラストラクチャによって構築されていることが多い。広範囲で編成されている（局所的ではない）セルラ式でヒエラルキ的なこれらの無線ネットワーク以外にも、通常の場合空間的に明確にはっきりと境界付けされている無線占有領域を有する無線ローカルネットワーク（ＷＬＡＮ；Wireless Local Area Network）も存在する。ＷＬＡＮの無線アクセスポイント（ＡＰ：Access Point）によってカバーされるセルは数百メートルもの直径を有しているが、これは通常の移動無線セルに比べれば小さい。ＷＬＡＮに関する種々の標準の例としてハイパーＬＡＮ、ＤＥＣＴ、ＩＥＥＥ８０２．１１、ブルートゥースおよびＷＡＴＭが挙げられる。
【０００４】
加入者局による共通の伝送媒体へのアクセスは、無線通信システムにおいては多元アクセス方式／マルチプレックス（Multiple Access、ＭＡ）方式によって制御される。この多元アクセスにおいては、伝送媒体を時間領域（時分割多重、ＴＤＭＡ）、周波数領域（周波数分割多重、ＦＤＭＡ）、符号領域（符号分割多重、ＣＤＭＡ）または空間領域（空間分割多重、ＳＤＭＡ）において加入者局間で分割することができる。これらの多元アクセス方式の組み合わせも可能である。
【０００５】
符号領域の多元アクセス方式においては複数の加入者局の通信のために加入者固有の符号が使用されるので、受信信号と加入者固有の符号との間の相関が実施されることによって、下り方向においてはそれぞれの加入者局、もしくは上り方向においてはネットワーク側装置が、加入者局へのメッセージないし加入者局からのメッセージを、他の加入者局へのメッセージないし他の加入者局からのメッセージと区別することができる。加入者局はメッセージを送信するために複数の符号を使用することができる。この場合には、種々の符号が加入者局によって使用される種々の伝送チャネルを区別するため、例えば、有効情報およびシグナリング情報を伝送するための複数のチャネルを区別するため、または種々のサービスの複数のチャネルを区別するために使用される。
【０００６】
本発明の課題は、加入者局が複数の符号をメッセージの送信のために使用する無線通信のための効率的な方法を提供することである。さらには、本方法を実施するための加入者局およびネットワーク側装置が提供されるべきである。
【０００７】
この課題は、請求項１の特徴を備えた方法並びにさらなる独立請求項の特徴を備えた加入者局およびネットワーク側装置によって解決される。
【０００８】
有利な実施形態および発展形態は従属請求項に記載されている。
【０００９】
無線通信のための方法においては、加入者局からネットワーク側の無線局に第１のメッセージが第１の符号を使用して伝送され、第２のメッセージが第２の符号を使用して伝送される。加入者局による第１の符号の使用は一時的に中断され、第２の符号の使用はこの中断の間も継続される。本発明によれば、加入者局による第１の符号の使用は、この加入者局による第１の符号の使用のために使用可能な送信出力に依存して再開される。
【００１０】
符号は無線通信システム、例えばＵＭＴＳ無線通信システムにおいて、種々のチャネルにおいて送信されるメッセージを相互に区別できるようにするために使用される。したがって種々の加入者局のメッセージを相互に区別することができ、また種々のチャネルにおいて送信される加入者局のメッセージも相互に区別することができる。符号はＵＭＴＳにおいては拡散符号とスクランブル符号の組み合わせである。第１の符号および第２の符号以外にも、考察される加入者局が別の符号を使用することもできる。つまり本発明による方法が複数の第１の符号および／または第２の符号に関して実施されることも考えられる。加入者局による第１のメッセージおよび第２のメッセージの送信を並行して行うことができる。すなわち、第１のメッセージおよび第２のメッセージを同時に送信することができる。
【００１１】
加入者局によって第１の符号も第２の符号も使用された期間の後に、第１の符号の使用が中断される。この第１の符号の使用の中断によって、中断の間には第２の符号を使用して第２のメッセージのみが加入者局から送信されることになる。中断は例えば上り方向、すなわち加入者局からネットワーク側の無線局の方向における伝送条件の劣化によって惹起される可能性がある。伝送条件の劣化を例えば、送信出力を上げるための要求がネットワーク側の無線局によって加入者局に送信されることによって加入者局に認識させることができる。有利には、第１の符号はその使用が中断されている間に他の加入者局に割り当てられずに、考察される加入者局に割り当てられたままである。つまりこの加入者局は第１の符号を一時的な中断期間の間にのみメッセージ送信のために使用しない。
【００１２】
第１の符号の使用の再開は、加入者局による第１の符号の使用のために使用可能な送信出力に依存する。その種の使用可能な送信出力は例えば第１の符号の送信のために目下使用可能な送信出力であるか、将来使用可能な送信出力、または所定の条件下で将来使用可能な送信出力、例えば第２の符号の使用に関して行われた送信出力の変更後に使用可能な送信出力である。
【００１３】
本発明の実施形態においては、加入者局による第１の符号の使用のために使用可能である送信出力は、加入者局によって使用可能な最大送信出力と加入者局による第２の符号の使用のために使用可能な送信出力とに依存する。使用可能な最大送信出力を例えば加入者局のハードウェアによって設定することができ、ネットワーク側か無線通信規格によって設定することができ、例えば多数の符号を加入者局がメッセージの送信のために使用するような所定の状況に依存させることができる。つまり多くの加入者局においては、加入者局が複数の符号を使用する場合に使用可能な送信出力は、僅かな符号が使用される場合に比べて小さい。第１の符号のために使用可能な送信出力を、例えば第２の符号の使用のために使用可能な送信出力を差し引いた最大限に使用可能な送信出力から明らかにすることができる。
【００１４】
本発明の有利な実施形態によれば、加入者局による第１の符号の使用のために使用可能な送信出力が第１の符号の使用を中断している間に加入者局によって求められる。この場合には、加入者局が第１の符号の使用のために十分な送信出力が使用可能であることを求めると、加入者局は自身で、すなわちネットワーク側の無線局によって要求されることなく、第１の符号の使用を再開することができる。
【００１５】
送信出力を加入者側において求める際に以下のものが考慮される場合には有利である：加入者局によって使用可能な最大送信出力、加入者局による第１の符号の使用の中断の間に第２の符号の使用のために目下使用されている送信出力、加入者局による第１の符号の使用の中断の間に第２の符号の使用のために加入者局によって使用可能な目下の送信出力とは異なる送信出力。再開に関連する送信出力を加入者側において求めることに別の特性量も包含させることができる。求められた送信出力の前述の関係によって、第２の符号のために目下使用されている送信出力から第２の符号のために使用可能な別の送信出力に変わる場合には、加入者局は第１の符号のために使用可能な最大送信出力を考慮してどの程度の送信出力を使用できるかを検出することができる。
【００１６】
本発明の実施形態においては、加入者局による第１の符号の使用のために使用可能な送信出力が、第１の符号の使用の中断の間にネットワーク側装置によって求められる。ネットワーク側装置は例えばネットワーク側の無線局、またはネットワーク側の無線局と接続されている別の装置でよい。ネットワーク側の無線局は、第１の符号の使用のために十分な送信出力を使用できることがネットワーク側において求められた場合には、相応のメッセージを送信することによって第１の符号の送信の再開を加入者局に要求することができる。
【００１７】
送信出力を加入者側において求める際に以下のものが考慮される場合には有利である：第２の符号を使用するメッセージ伝送のために加入者局によって目下使用されているデータレートに関する情報、第２の符号を使用するメッセージ伝送のために、第１の符号の使用の中断の直前に加入者局によって使用されているデータレートに関する情報。有利には、２つのデータレートが専ら第２のメッセージに関連する。それぞれのデータレートをネットワーク側においてＵＭＴＳの場合には、例えばＴＦＣ（Transport Format Combination）から得ることができる。データレートは、ネットワーク側の無線局における所定の伝送条件および所定の受信品質において、メッセージを加入者局から高い送信出力且つ高いデータレートで送信することができるか、低い送信出力且つ低いデータレートで送信することができる限り、加入者側の送信出力と関連付けられている。第１の符号の使用の再開ないし再開に関するネットワーク側の決定を殊に閾値判定基準と関連付けることができる。つまり、例えば中断以降のデータレートが少なくとも所定の値だけ変化している場合には、第１の符号の使用のために十分な送信出力を使用することができ、その結果第１の符号の使用を再開することができる。
【００１８】
付加的または択一的に、送信出力をネットワーク側において求める際に、第１の符号の送信の中断の間にネットワーク側の無線局から加入者局に送信される送信出力制御信号に関する情報が考慮される。第１の符号の送信を中断する時点の送信出力と、送信された送信出力制御信号に基づきネットワーク側において既知であるか、求めることができる目下の送信出力との差から、ネットワーク側においては上り方向における伝送条件の変化、したがって第１の符号の使用のために使用可能な送信出力を推量することができる。この場合においても、第１の符号の使用の再開ないし再開に関するネットワーク側の決定を閾値判定基準と関連付けることができる。つまり例えば、送信出力が所定の回数だけ低減されたならば、十分な送信出力を第１の符号の使用のために使用することができる。
【００１９】
本発明の実施形態においては、第１のメッセージはＨＳ−ＤＰＣＣＨ（高速データパケット制御チャネル）チャネルのメッセージであり、第２のメッセージはＵＭＴＳ無線通信システムのＤＰＤＣＨ（専用物理データチャネル）チャネルまたはＤＰＣＣＨ（専用物理制御チャネル）チャネルのメッセージである。ＤＰＤＣＨチャネルおよびＤＰＣＣＨチャネルはＵＭＴＳにおける専用チャネルであり、他方ＨＳ−ＤＰＣＣＨは上り方向においてＨＳＤＰＡ（高速ダウンリンクパケットアクセス）のために使用されるシグナリングチャネルである。ＵＭＴＳにおけるＨＳＤＰＡサービスに関する背景は仕様書３ＧＰＰ  ＴＳ  ２５．２１１、３ＧＰＰ  ＴＳ  ２５．２１２、３ＧＰＰ  ＴＳ  ２５．２１３および３ＧＰＰ  ２５．２１４に記載されている。
【００２０】
無線通信システムのための本発明による加入者局は、ネットワーク側の無線局に第１の符号を使用して第１のメッセージを送信し、第２の符号を使用して第２のメッセージを送信する手段と、第１の符号の使用を中断し、第１の符号の使用の中断の間に第２の符号の使用を継続する手段と、第１の符号の使用のために使用可能な送信出力に依存して第１の符号の使用を再開する手段とを有する。
【００２１】
本発明の実施形態においては、さらに加入者局が第１の符号を使用するために使用可能な送信出力を求める手段を有する。この手段は求められた送信出力の結果に依存して、再開のための手段を制御する。
【００２２】
無線通信システムのための本発明によるネットワーク側の装置は、加入者局から第１の符号を使用して送信された第１のメッセージおよび第２の符号を使用して送信された第２のメッセージを受信する手段と、加入者局による第１の符号の使用のために使用可能な送信出力を求める手段とを有する。さらに本発明によるネットワーク側装置は、加入者局がメッセージの送信のために第１の符号を使用すべきことを指示する手段を有する。この指示は求められた送信出力に依存して行われる。
【００２３】
本発明による加入者局および本発明によるネットワーク側装置は殊に本発明による方法を実施することに適しており、これは構成および実施形態にも該当する。このために加入者局およびネットワーク側装置は別の適切な手段を有することができる。本発明による加入者局およびネットワーク側装置を、それぞれが手段を有しており、相互に接続されている複数の装置によって実現することもできる。
【００２４】
以下では本発明を実施例に基づき詳細に説明する。ここで
図１はＵＭＴＳ無線通信システムの一部を示し、
図２は本発明による加入者局および本発明によるネットワーク側装置の概略的な構造を示す。
【００２５】
図１にはＵＭＴＳ無線通信システムの基地局ＮＯＤＥ  Ｂの無線セルＺが簡略的に円で象徴的に示されている。基地局ＮＯＤＥ  ＢはＵＭＴＳ無線通信システムの別のネットワーク側装置ＮＥＴ  ＵＭＴＳと接続されている。セルラＵＭＴＳ無線通信システムの別の基地局は明瞭にするために図１には示していない。基地局ＮＯＤＥ  Ｂの無線セルＺには、ＵＭＴＳ規格にしたがい無線により基地局ＮＯＤＥ  Ｂと通信する加入者側の移動局ＵＥが存在している。
【００２６】
ＵＭＴＳ無線通信システムにおいては、種々のチャネルが符号によって相互に区別される。ここでは複数の符号を１つの加入者局によって使用することができる。図１においては、移動局ＵＥに第１の符号Ｃ＿ＨＳ−ＤＰＣＣＨおよび別の符号Ｃ＿ＤＥＤＩＣＡＴＥＤが上り方向に関して割り当てられていることが示されている。すなわち移動局ＵＥが符号Ｃ＿ＨＳ−ＤＰＣＣＨおよびＣ＿ＤＥＤＩＣＡＴＥＤを基地局ＮＯＤＥ  Ｂへのメッセージの送信のために使用する。符号Ｃ＿ＤＥＤＩＣＡＴＥＤは移動局ＵＥの専用チャネルＤＰＤＣＨ（専用物理データチャネル）およびＤＰＣＣＨ（専用物理制御チャネル）に対応しており、これらのチャネルは（ＤＰＤＣＨの場合には）有効情報を基地局ＮＯＤＥ  Ｂに伝送するために使用され、また（ＤＰＣＣＨの場合には）シグナリング情報を基地局ＮＯＤＥ  Ｂに伝送するために使用される。
【００２７】
符号Ｃ＿ＨＳ−ＤＰＣＣＨはＨＳＤＰＡサービスの上り方向シグナリングチャネルＨＳ−ＤＰＣＣＨ（高速データパケット制御チャネル）に対応する。ＨＳＤＰＡの枠内においては、上り方向、すなわち基地局から加入者局への方向においては高レートのデータ伝送は、伝送の反復が増分的冗長性を包含する伝送反復法と共に高次の変調方法を使用することにより実現される。データを伝送するために下り方向においてはチャネルＨＳ−ＰＤＳＣＨ（高速物理ダウンリンク共有チャネル）が使用される。上りチャネルＨＳ−ＤＰＣＣＨは、チャネルＨＳ−ＤＰＣＣＨのメッセージに関するＡＣＫないしＮＡＣＫメッセージの形での肯定的または否定的な受信確認の送信、また加入者局からそれぞれの基地局への加入者側の受信条件に関する情報（ＣＱＩ、チャネル品質インジケータ）の送信に使用される。基地局はＡＣＫメッセージないしＮＡＣＫメッセージから、チャネルＨＳ−ＤＰＣＣＨのデータパケットが加入者局によって受信されたか、もしくは適切に受信されたかを知ることができる。ＣＱＩ値から基地局は下り方向においてチャネルＨＳ−ＰＤＳＣＨに対して使用すべき送信出力を検出する。
【００２８】
以下では、移動局ＵＥと基地局ＮＯＤＥ  Ｂとの間の上り方向における無線チャネルに関する伝送条件が劣化する場合を考察する。加入者局ＵＥによって受信される信号の品質の低下を記録する基地局ＮＯＤＥ  Ｂは、送信出力を高めることを移動局ＵＥにシグナリングすることによってこの品質の低下に反応する。したがって伝送条件がますます悪くなると、移動局ＵＥは符号Ｃ＿ＨＳ−ＤＰＣＣＨについての送信出力も符号Ｃ＿ＤＥＤＩＣＡＴＥＤについての送信出力も上昇させる。伝送条件がますます悪くなり最大送信出力に達すると、移動局ＵＥは専用チャネルにおけるメッセージ伝送のために使用されるＴＦＣ（Transport Format Combination）を変更する。ＴＦＣは所定のデータレートおよび符号化レートと関連付けられている。所定の伝送条件においては、ＴＦＣの変更が送信出力の整合と組み合わされて、受信器に関して受信品質がほぼ一定に保たれるように行われる。したがって、ＴＦＣは間接的に送信出力と関連付けられている。移動局ＵＥは劣化した伝送条件において、最大送信出力に達した後に、専用チャネルに対しては比較的僅かな送信出力しか必要とされず、符号Ｃ＿ＨＳ−ＤＰＣＣＨに対する送信出力を上げることができるようにＴＦＣを適合させる。したがってチャネルＨＳ−ＤＰＣＣＨのシグナリングメッセージは、専用チャネルＤＰＤＣＨおよびＤＰＣＣＨのメッセージに比べて優先的に処理される。このことは、ＡＣＫメッセージおよびＮＡＣＫメッセージがＨＳＤＰＡサービスのＡＲＱ方式にとって重要であるということに起因する。
【００２９】
上り方向において伝送条件がさらに劣化すると最終的には、専用チャネルに対する最小送信出力に対応するＴＦＣに達する。加入者局ＵＥが基地局ＮＯＤＥ  Ｂとのコンタクトを変更しない限り、専用チャネルに対する送信出力のさらなる低減は不可能である。この場合には、加入者局ＵＥとＵＭＴＳネットワークとの間のコネクションが新たに確立されなければならなくなるが、これは回避されることが望ましい。したがってチャネルＨＳ−ＤＰＣＣＨないし相応の符号Ｃ＿ＨＳ−ＤＰＣＣＨの使用が中断される。この中断を例えば、加入者局ＵＥが基地局ＮＯＤＥ  Ｂから送信出力を上げるためのさらなる要求を受信することによってトリガすることができる。専用チャネルに対する送信出力を低減できるようにＴＦＣをもはや効率的に適合できないことを加入者局ＵＥが確認すると、チャネルＨＳ−ＤＰＣＣＨの使用が中断される。
【００３０】
加入者局ＵＥがチャネルＨＳ−ＤＰＣＣＨにおいてもはや送信しなくなった後には、この加入者局の全送信出力が２つの専用チャネルＤＰＣＣＨおよびＤＰＤＣＨに対して使用される。したがって、専用チャネルＤＰＣＣＨおよびＤＰＤＣＨにおけるメッセージ伝送のために加入者局ＵＥの最大送信出力が使用されるようにＴＦＣを変更することができる。ここでは、符号Ｃ＿ＨＳ−ＤＰＣＣＨと専用の符号Ｃ＿ＤＥＤＩＣＡＴＥＤを同時に使用する場合に最大限に考えられる送信出力は通常の場合、専用チャネルＤＰＣＣＨおよびＤＰＤＣＨのみが使用される場合に比べて小さいということが殊に重要である。この２つの最大送信出力の差はパワーバックオフと称される。このことは、広範な範囲にわたり線形の特性を有する増幅器を備えた加入者局にのみ該当するのではない。
【００３１】
チャネルＨＳ−ＤＰＣＣＨに関して加入者局ＵＥに割り当てられた符号Ｃ＿ＨＳ−ＤＰＣＣＨが、その使用の中断後に別の加入者局に割り当てられることはない。むしろよりＨＳＤＰＡサービスは伝送条件が改善されれば再開されるべきである。本発明によれば、チャネルＨＳ−ＤＰＣＣＨにおけるメッセージの送信の再開は、どれ程の送信出力がチャネルＨＳ−ＤＰＣＣＨに対して使用可能であるかに依存する。この送信出力を求めること、したがって再開に関する決定を加入者側またはネットワーク側において行うことができる。
【００３２】
チャネルＨＳ−ＤＰＣＣＨに対して使用可能な送信出力が加入者側で求められる場合には、加入者局ＵＥは計算を実施することができ、この計算を以下では数字の例を用いて表す。専用チャネルＤＰＣＣＨおよびＤＰＤＣＨのみが使用される場合の加入者局ＵＥの最大送信出力は２１ｄＢｍである。専用チャネルＤＰＣＣＨおよびＤＰＤＣＨもチャネルＨＳ−ＤＰＣＣＨも使用される場合の加入者局ＵＥの最大送信出力は１９ｄＢｍである。目下のところ、チャネルＨＳ−ＤＰＣＣＨの中断の間に、加入者局ＵＥは６４ｋｂｉｔのデータレートおよび２０ｄＢｍの送信出力を有するＴＦＣを使用する。伝送条件が一定に保たれている場合において基地局ＮＯＤＥ  Ｂに関する受信品質が劣化することなくチャネルＤＰＣＣＨおよびＤＰＤＣＨに対する送信出力を最大限に低減することは、２ｋｂｉｔのデータレートおよび１４ｄＢｍの送信出力を有するＴＦＣへの移行によって達成することができる。さらに加入者局ＵＥには、専用チャネルＤＰＣＣＨおよびＤＰＤＣＨの送信出力とチャネルＨＳ−ＤＰＣＣＨの送信出力との許容比を表す商が既知である。この商から、専用チャネルＤＰＣＣＨおよびＤＰＤＣＨに対する所定の送信出力においてチャネルＨＳ−ＤＰＣＣＨの使用のために必要とされる最小送信出力を検出することができる。商１である場合には、チャネルＨＳ−ＤＰＣＣＨに対して少なくとも送信出力１４ｄＢｍが使用されなければならない。最大送信出力が１９ｄＢｍであり且つチャネルＤＰＣＣＨおよびＤＰＤＣＨに対して最小限使用すべき送信出力は１４ｄＢｍであるので、この送信出力を実際に使用することができる。
【００３３】
加入者局ＵＥが上記の計算によってチャネルＨＳ−ＤＰＣＣＨに対して使用可能な送信出力は十分であるということを確認した後には、加入者局ＵＥは目下のＣＱＩ値を基地局ＮＯＤＥ  Ｂに送信するために符号Ｃ＿ＨＳ−ＤＰＣＣＨを使用する。チャネルＨＳ−ＤＰＣＣＨにおけるこのメッセージの受信によるトリガが行われると、基地局ＮＯＤＥ  Ｂは下り方向における加入者局ＵＥへのＨＳＤＰＡメッセージの送信を再開する。
【００３４】
チャネルＨＳ−ＤＰＣＣＨのために使用可能な送信出力をネットワーク側において求めることは、ネットワーク側においては実際に加入者局ＵＥによって使用される送信出力が既知で無い限りにおいて加入者局側の計算とは区別される。これに対して、チャネルＨＳ−ＤＰＣＣＨの中断の間に加入者局ＵＥによって目下使用されているＴＦＣ、チャネルＨＳ−ＤＰＣＣＨの使用の中断時点に使用されているＴＦＣおよびチャネルＨＳ−ＤＰＣＣＨの使用の中断以降に加入者局ＵＥに送信される電力制御用の信号は既知である。有利には、チャネルＨＳ−ＤＰＣＣＨの再開に関連する送信出力を求めるために、ネットワーク側においては以下のような閾値判定基準が適用される：より高いデータレートへのＴＦＣの上昇が所定の閾値を上回ると、チャネルＨＳ−ＤＰＣＣＨの符号に対して使用可能な送信出力は十分なものである。より高いデータレートへのＴＦＣの上昇は伝送条件の改善を表す。もっとも閾値を選択する際には、状況によってはＴＦＣを既にチャネルＨＳ−ＤＰＣＣＨの中断に基づくだけで上昇できることが考慮されるべきである。すなわち閾値は伝送条件に依存しないこの上昇を包含している、もしくは上回っているべきである。付加的または択一的に、加入者局ＵＥによって使用される送信出力の変更も考慮することができる。チャネルＨＳ−ＤＰＣＣＨの中断以降に加入者局ＵＥに送信された送信出力制御信号に包含される、加入者側の送信出力を変更するための要求の加算から、チャネルＨＳ−ＤＰＣＣＨの中断以降の加入者側の送信出力の全体の変更が既知である。つまり、例えば１０の「ダウン」要求の送信のような送信出力閾値を使用することができ、１０以上の要求ではチャネルＨＳ−ＤＰＣＣＨの符号に対して使用可能な送信出力は十分なものである。送信出力を低減するための所定数の要求から、上り方向における伝送条件の著しい改善を推量することができ、その結果この状況においてはＨＳＤＰＡサービスの再開は有意義である。ネットワーク側においてＴＦＣの変更および加入者側において使用される送信出力の変更の他に、別の特性量、殊に例えばパワーバックオフの値が考慮され、さらにチャネルＨＳ−ＤＰＣＣＨの再開のための送信出力が十分なものであるか否かを判定することが可能である。
【００３５】
送信出力がネットワーク側において求められる場合には、チャネルＨＳ−ＤＰＣＣＨに対して使用可能な送信出力を必ずしも明示的に計算する必要はなく、ＴＦＣおよび／または送信出力の変更のような所定の条件の存在からチャネルＨＳ−ＤＰＣＣＨに対する十分な送信出力を推量することができる。チャネルＨＳ−ＤＰＣＣＨに対して使用可能な送信出力が十分であることがネットワーク側において確認された後には、基地局ＮＯＤＥ  Ｂは加入者局ＵＥにＨＳＤＰＡメッセージを下り方向において新たに送信することができる。加入者局ＵＥの目下のＣＱＩ値がチャネルＨＳ−ＤＰＣＣＨの使用の中断に基づきネットワーク側では既知でないので、下り方向における送信出力を考えられる最も低いＣＱＩ値ないし加入者局ＵＥから最後にシグナリングされたＣＱＩ値に基づき検出することができる。その種のＨＳＤＰＡサービスの受信によって、加入者局ＵＥはチャネルＨＳ−ＤＰＣＣＨにおけるメッセージの送信を新たに開始する。しかしながら、基地局ＮＯＤＥ  Ｂから送信されたメッセージによって、チャネルＨＳ−ＤＰＣＣＨにおける目下のＣＱＩ値の送信のために再開が直接的に要求されることによって、加入者局ＵＥによるチャネルＨＳ−ＤＰＣＣＨの再開をトリガすることができる。
【００３６】
チャネルＨＳ−ＤＰＣＣＨを再開するために加入者側においてもネットワーク側においても求められた判定基準によって、ＨＳＤＰＡサービスが上り方向における劣悪な伝送条件に基づき中断されなければならなかった後には、このＨＳＤＰＡサービスを再開する適切な時点を決定することができる。上記のようにネットワーク側または加入者側において送信出力を求めることによって、上り方向における伝送条件が改善されたときに初めてチャネルＨＳ−ＤＰＣＣＨの使用が再開されることが保証される。本発明による方法を使用しなければ、上り方向における伝送条件が同様に劣悪な場合においてＨＳ−ＤＰＣＣＨが採用されると専用チャネルに関するＴＦＣを新たに最小値まで低減して、チャネルＨＳ−ＤＰＣＣＨの使用を新たに中断しなければならなくなるので、チャネルＨＳ−ＤＰＣＣＨが過度に早期に使用される可能性があり、そのような早期の使用によりピンポン効果が生じる虞がある。チャネルＨＳ−ＤＰＣＣＨのこのような過度に早期の使用が本発明による方法によって回避されることによって、下り方向におけるＨＳＤＰＡサービスのための伝送リソースが節約され、さらにはチャネルＨＳ−ＤＰＣＣＨの使用が比較的長く省略されることによって干渉は僅かにしか生じない。
【００３７】
図２は加入者局ＵＥおよび基地局ＮＯＤＥ  Ｂの概略的な構造を示す。手段ＴＲＡＮＳＭＩＴ  Ｃ＿ＨＳ−ＤＰＣＣＨおよびＴＲＡＮＳＭＩＴ  Ｃ＿ＤＥＤＩＣＡＴＥＤを介して、加入者局ＵＥはチャネルＨＳ−ＤＰＣＣＨおよび専用チャネルＤＰＣＣＨおよびＤＰＤＣＨのメッセージを送信することができる。これらのメッセージは基地局ＮＯＤＥ  Ｂによって手段ＲＥＣＥＩＶＥ  Ｃ＿ＨＳ−ＤＰＣＣＨおよびＲＥＣＥＩＶＥ  Ｃ＿ＤＥＤＩＣＡＴＥＤを用いて受信される。加入者局ＵＥの手段ＳＴＯＰ  Ｃ＿ＨＳ−ＤＰＣＣＨによって符号Ｃ＿ＨＳ−ＤＰＣＣＨの使用の中断が惹起されるが、他方では符号Ｃ＿ＤＥＤＩＣＡＴＥＤはこの中断による影響を受けずに使用され続ける。符号Ｃ＿ＨＳ−ＤＰＣＣＨの使用の再開は手段ＳＴＡＲＴ  Ｃ＿ＨＳ−ＤＰＣＣＨによってトリガされる。この手段ＳＴＡＲＴ  Ｃ＿ＨＳ−ＤＰＣＣＨは手段ＵＥ：ＴＲＡＮＳＭＩＴ  ＰＯＷＥＲ  Ｃ＿ＨＳ−ＤＰＣＣＨによって制御され、この手段ＵＥ：ＴＲＡＮＳＭＩＴ  ＰＯＷＥＲ  Ｃ＿ＨＳ−ＤＰＣＣＨは加入者側において符号Ｃ＿ＨＳ−ＤＰＣＣＨの使用のために使用可能な送信出力を検出する。またはこの手段ＳＴＡＲＴ  Ｃ＿ＨＳ−ＤＰＣＣＨは間接的に基地局ＮＯＤＥ  Ｂの手段ＮＯＤＥ  Ｂ：ＴＲＡＮＳＭＩＴ  ＰＯＷＥＲ  Ｃ＿ＨＳ−ＤＰＣＣＨによって制御され、この手段ＮＯＤＥ  Ｂ：ＴＲＡＮＳＭＩＴ  ＰＯＷＥＲ  Ｃ＿ＨＳ−ＤＰＣＣＨはネットワーク側において符号Ｃ＿ＨＳ−ＤＰＣＣＨの使用のために使用可能な送信出力を検出する。後者の場合には続いて手段ＮＯＤＥ  Ｂ：ＳＴＡＲＴ  Ｃ＿ＨＳ−ＤＰＣＣＨによって、チャネルＨＳ−ＤＰＣＣＨの再開のための要求が加入者局ＵＥに送られる。
【図面の簡単な説明】
【００３８】
【図１】ＵＭＴＳ無線通信システムの一部。
【図２】本発明による加入者局および本発明によるネットワーク側装置の概略的な構造。
【図１】
2007535254.tif 000003
【図２】
2007535254.tif 000004
【手続補正書】
【提出日】平成17年11月11日(2005.11.11)
【手続補正１】
【補正対象書類名】明細書
【補正対象項目名】０００５
【補正方法】変更
【補正の内容】
【０００５】
符号領域の多元アクセス方式においては複数の加入者局の通信のために加入者固有の符号が使用されるので、受信信号と加入者固有の符号との間の相関が実施されることによって、下り方向においてはそれぞれの加入者局、もしくは上り方向においてはネットワーク側装置が、加入者局へのメッセージないし加入者局からのメッセージを、他の加入者局へのメッセージないし他の加入者局からのメッセージと区別することができる。加入者局はメッセージを送信するために複数の符号を使用することができる。この場合には、種々の符号が加入者局によって使用される種々の伝送チャネルを区別するため、例えば、有効情報およびシグナリング情報を伝送するための複数のチャネルを区別するため、または種々のサービスの複数のチャネルを区別するために使用される。
刊行物WO 2004/034608 A1には適切なＴＦＣ（Transport Format Combination）を選択するための方法が記載されている。この刊行物においては、加入者局が２つのＣＣＴｒＣＨ（Coded Composite Transport Channel）を使用する状況が考察されている。２つのＣＣＴｒＣＨの送信出力が最大限に許容される送信出力よりも大きいか否かが検査される。大きい場合には、１つまたは２つのＣＣＴｒＣＨのデータレートが低減される。
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
符号領域の多元アクセス方式を用いる無線通信システムにおける無線通信のための方法であって、
加入者局（ＵＥ）からネットワーク側の無線局（ＮＯＤＥ  Ｂ）に第１の符号（Ｃ＿ＨＳ−ＤＰＣＣＨ）を使用して第１のメッセージを伝送し、第２の符号（Ｃ＿ＤＥＤＩＣＡＴＥＤ）を使用して第２のメッセージを伝送し、
前記第１の符号（Ｃ＿ＨＳ−ＤＰＣＣＨ）の使用を前記加入者局（ＵＥ）によって一時的に中断し、前記第２の符号（Ｃ＿ＤＥＤＩＣＡＴＥＤ）の使用を前記中断の間に継続する、無線通信のための方法において、
前記加入者局（ＵＥ）による前記第１の符号（Ｃ＿ＨＳ−ＤＰＣＣＨ）の使用のために使用可能である送信出力に依存して、前記加入者局（ＵＥ）による前記第１の符号（Ｃ＿ＨＳ−ＤＰＣＣＨ）の使用を再開することを特徴とする、無線通信のための方法。
【請求項２】
前記加入者局（ＵＥ）による前記第１の符号（Ｃ＿ＨＳ−ＤＰＣＣＨ）の使用のために使用可能である前記送信出力は、前記加入者局（ＵＥ）によって使用可能な最大送信出力と、前記加入者局（ＵＥ）による前記第２の符号（Ｃ＿ＤＥＤＩＣＡＴＥＤ）の使用のために使用可能な送信出力とに依存する、請求項１記載の方法。
【請求項３】
前記加入者局（ＵＥ）による前記第１の符号（Ｃ＿ＨＳ−ＤＰＣＣＨ）の使用のために使用可能である前記送信出力を、前記加入者局（ＵＥ）によって前記第１の符号（Ｃ＿ＨＳ−ＤＰＣＣＨ）の使用の中断の間に求める、請求項１または２記載の方法。
【請求項４】
前記加入者局（ＵＥ）による前記第１の符号（Ｃ＿ＨＳ−ＤＰＣＣＨ）の使用のために使用可能である前記送信出力を求める際に、
−前記加入者局（ＵＥ）によって使用可能な最大送信出力、
−前記加入者局（ＵＥ）による前記第１の符号（Ｃ＿ＨＳ−ＤＰＣＣＨ）の使用の中断の間に、前記第２の符号（Ｃ＿ＤＥＤＩＣＡＴＥＤ）の使用のために目下使用されている送信出力、
−前記第２の符号（Ｃ＿ＤＥＤＩＣＡＴＥＤ）の使用のために前記加入者局（ＵＥ）によって使用可能な送信出力とは異なる送信出力、
を考慮する、請求項３記載の方法。
【請求項５】
前記加入者局（ＵＥ）による前記第１の符号（Ｃ＿ＨＳ−ＤＰＣＣＨ）の使用のために使用可能である前記送信出力を、ネットワーク側の装置（ＮＯＤＥ  Ｂ）によって前記第１の符号（Ｃ＿ＨＳ−ＤＰＣＣＨ）の使用の中断の間に求める、請求項１または２記載の方法。
【請求項６】
前記加入者局（ＵＥ）による前記第１の符号（Ｃ＿ＨＳ−ＤＰＣＣＨ）の使用のために使用可能である前記送信出力を求める際に、
−前記第２の符号（Ｃ＿ＤＥＤＩＣＡＴＥＤ）を使用するメッセージ伝送のために前記加入者局（ＵＥ）によって目下使用されているデータレートに関する情報、
−前記第１の符号（Ｃ＿ＨＳ−ＤＰＣＣＨ）の使用の中断直前に、前記第２の符号（Ｃ＿ＤＥＤＩＣＡＴＥＤ）を使用するメッセージ伝送のために前記加入者局（ＵＥ）によって使用されたデータレートに関する情報、
を考慮する、請求項５記載の方法。
【請求項７】
前記加入者局（ＵＥ）による前記第１の符号（Ｃ＿ＨＳ−ＤＰＣＣＨ）の使用のために使用可能である前記送信出力を求める際に、
−前記第１の符号（Ｃ＿ＨＳ−ＤＰＣＣＨ）の使用の中断の間に前記ネットワーク側の無線局（ＮＯＤＥ  Ｂ）から前記加入者局（ＵＥ）に送信される送信出力制御信号に関する情報、
を考慮する、請求項５または６記載の方法。
【請求項８】
前記第１のメッセージはＨＳ−ＤＰＣＣＨチャネルのメッセージであり、前記第２のメッセージはＵＭＴＳ無線通信システムのＤＰＤＣＨチャネルまたはＤＰＣＣＨチャネルのメッセージである、請求項１から７までのいずれか１項記載の方法。
【請求項９】
符号領域の多元アクセス方式を用いる無線通信システムのための加入者局（ＵＥ）であって、
第１の符号（Ｃ＿ＨＳ−ＤＰＣＣＨ）を使用して第１のメッセージをネットワーク側の無線局（ＮＯＤＥ  Ｂ）に送信し、第２の符号（Ｃ＿ＤＥＤＩＣＡＴＥＤ）を使用して第２のメッセージをネットワーク側の無線局（ＮＯＤＥ  Ｂ）に送信する手段（ＴＲＡＮＳＭＩＴ  Ｃ＿ＨＳ−ＤＰＣＣＨ，ＴＲＡＮＳＭＩＴ  Ｃ＿ＤＥＤＩＣＡＴＥＤ）を有し、
前記第１の符号（Ｃ＿ＨＳ−ＤＰＣＣＨ）の使用を中断し、前記第１の符号（Ｃ＿ＨＳ−ＤＰＣＣＨ）の使用の中断の間に前記第２の符号（Ｃ＿ＤＥＤＩＣＡＴＥＤ）の使用を継続する手段（ＳＴＯＰ  Ｃ＿ＨＳ−ＤＰＣＣＨ）を有する、加入者局（ＵＥ）において、
前記第１の符号（Ｃ＿ＨＳ−ＤＰＣＣＨ）の使用のために使用可能である送信出力に依存して前記第１の符号（Ｃ＿ＨＳ−ＤＰＣＣＨ）の使用を再開する手段（ＳＴＡＲＴ  Ｃ＿ＨＳ−ＤＰＣＣＨ）をさらに有することを特徴とする、加入者局（ＵＥ）。
【請求項１０】
前記第１の符号（Ｃ＿ＨＳ−ＤＰＣＣＨ）を使用するために使用可能である前記送信出力を求める手段（ＵＥ：ＴＲＡＮＳＭＩＴ  ＰＯＷＥＲ  Ｃ＿ＨＳ−ＤＰＣＣＨ）を有する、請求項９記載の加入者局（ＵＥ）。
【請求項１１】
符号領域の多元アクセス方式を用いる無線通信システムのためのネットワーク側の装置（ＮＯＤＥ  Ｂ）であって、
加入者局（ＵＥ）から第１の符号（Ｃ＿ＨＳ−ＤＰＣＣＨ）を使用して送信された第１のメッセージを受信し、加入者局（ＵＥ）から第２の符号（Ｃ＿ＤＥＤＩＣＡＴＥＤ）を使用して送信された第２のメッセージを受信する手段（ＲＥＣＥＩＶＥ  Ｃ＿ＨＳ−ＤＰＣＣＨ，ＲＥＣＥＩＶＥ  Ｃ＿ＤＥＤＩＣＡＴＥＤ）を有する、ネットワーク側の装置（ＮＯＤＥ  Ｂ）において、
前記第１の符号（Ｃ＿ＨＳ−ＤＰＣＣＨ）の使用の一時的な中断の間に、前記加入者局（ＵＥ）から前記第２の符号（Ｃ＿ＤＥＤＩＣＡＴＥＤ）を使用して送信されたメッセージを受信する手段を有し、
前記一時的な中断の間に、前記加入者局（ＵＥ）による前記第１の符号（Ｃ＿ＨＳ−ＤＰＣＣＨ）の使用のために使用可能である送信出力を求め、前記第１の符号（Ｃ＿ＨＳ−ＤＰＣＣＨ）の前記一時的な中断の後に、前記加入者局（ＵＥ）による前記第１の符号（Ｃ＿ＨＳ−ＤＰＣＣＨ）の使用の再開に関する決定の際に使用する手段（ＮＯＤＥ  Ｂ：ＴＲＡＮＳＭＩＴ  ＰＯＷＥＲ  Ｃ＿ＨＳ−ＤＰＣＣＨ）を有することを特徴とする、ネットワーク側の装置（ＮＯＤＥ  Ｂ）。
【国際調査報告】
2007535254.tif 000005
2007535254.tif 000006
2007535254.tif 000007
2007535254.tif 000008
2007535254.tif 000009
2007535254.tif 000010